(57)【要約】      （修正有）【課題】薬液を用いるバラスト水処理システムを船舶に搭載することを容易にすることができるようにする。【解決手段】船舶に設けられるバラスト水処理システムの一部を構成するコンテナユニット１００が、バラスト水に用いる殺菌用の薬液を収納する薬液タンクおよび薬液用の中和液を収納する中和液タンクが収容された収容体１１０と、バラスト水処理システムの薬液注入部と薬液タンクとを接続する第１接続部と、バラスト水処理システムの中和液注入部と中和液タンクとを接続する第２接続部とを備える。【選択図】図１
2016074341.tif 000002
【特許請求の範囲】
【請求項１】
船舶に設けられるバラスト水処理システムの一部を構成するコンテナユニットであって、
バラスト水に用いる殺菌用の薬液を収納する薬液タンクおよび前記薬液用の中和液を収納する中和液タンクが収容された収容体と、
前記バラスト水処理システムの薬液注入部と前記薬液タンクとを接続する第１接続部と、
前記バラスト水処理システムの中和液注入部と前記中和液タンクとを接続する第２接続部とを備える
ことを特徴とするコンテナユニット。
【請求項２】
前記薬液を前記第１接続部を介して前記薬液注入部に移送する薬液移送部と、
前記中和液を前記第２接続部を介して前記中和液注入部に移送する中和液移送部とを備える
請求項１記載のコンテナユニット。
【請求項３】
前記薬液注入部と前記中和液注入部とは、前記バラスト水処理システムが処理するバラスト水が流れる配管に配され、
前記薬液移送部および前記中和液移送部の少なくとも一方は、所定の制御部により生成された制御情報に基づいて、前記薬液または前記中和液を移送する
請求項２記載のコンテナユニット。
【請求項４】
前記バラスト水に対する薬液の移送を要求する制御情報を前記制御部から受信する受信部を備え、
前記制御部は、前記バラスト水の取水時、前記薬液を当該バラスト水に注入する制御情報を前記受信部に送信し、
前記薬液移送部は、前記受信部により受信された制御情報に基づいて、前記薬液を前記薬液注入部に移送する
請求項３記載のコンテナユニット。
【請求項５】
前記バラスト水における薬液の残留量に応じた量の中和液の移送を要求する制御情報を前記制御部から受信する受信部を備え、
前記制御部は、前記バラスト水の排水時、前記中和液を当該バラスト水に注入する制御情報を前記受信部に送信し、
前記中和液移送部は、前記受信部により受信された制御情報に基づいて、前記中和液を前記中和液注入部に移送する
請求項３または請求項４記載のコンテナユニット。
【請求項６】
船舶に設けられるバラスト水処理システムの一部を構成するコンテナユニットであって、
バラスト水に用いる殺菌用の薬液を収納する薬液タンクが収容された収容体と、
前記バラスト水処理システムの薬液注入部と前記薬液タンクとを接続する接続部とを備える
ことを特徴とするコンテナユニット。
【請求項７】
船舶に設けられるバラスト水処理システムの一部を構成するコンテナユニットであって、
前記船舶で利用される殺菌用の薬液に対応する中和液を収納する中和液タンクが収容された収容体と、
前記バラスト水処理システムの中和液注入部と前記中和液タンクとを接続する接続部とを備える
ことを特徴とするコンテナユニット。
【請求項８】
船舶に設けられるバラスト水処理システムであって、
バラスト水を貯水するバラストタンクと、
前記バラスト水に殺菌用の薬液を注入する薬液注入部と、
前記バラスト水に前記薬液用の中和液を注入する中和液注入部と、
前記バラスト水を船外に排水する排水部と、
前記薬液を収納する薬液タンクと前記中和液を収納する中和液タンクとが収容された収容体を備えるコンテナユニットとを備え、
前記コンテナユニットは、
前記薬液注入部と前記薬液タンクとを接続する第１接続部と、
前記中和液注入部と前記中和液タンクとを接続する第２接続部とを有する
ことを特徴とするバラスト水処理システム。
【発明の詳細な説明】
【技術分野】
【０００１】
本発明は、船舶に設けられたバラスト水処理システムの一部を構成するコンテナユニット、及び船舶に設けられるバラスト水処理システムに関する。
【背景技術】
【０００２】
従来、船舶に積載するバラスト水を処理するシステムが種々提案されている。ここで、バラスト水とは、船体を安定させるために利用される水であり、一般的には船底等のタンクに注入され、荷物が多くなると船外に排水される海水を意味する。また、バラスト水の処理とは、バラスト水を浄化すること（例えば、水生生物の殺菌・殺滅）を意味する。
【０００３】
このようなバラスト水を処理するシステムには、国際海事機構(International Maritime Organization :IMO)が定めたバラスト水管理基準に対応した機能が要求される。そして、ＩＭＯ基準を満たすために、例えば、バラスト水処理システムに物理除去装置や薬液を用いるものがある。ここで、物理除去装置の例には、フィルタ、サイクロン、キャビテーション等を利用した装置がある。また、薬液には、次亜塩素酸ナトリウム、オゾン、二酸化塩素、過酢酸、過酸化水素、ＵＶ等がある（特許文献１参照）。
【先行技術文献】
【特許文献】
【０００４】
【特許文献１】特開２０１３−１６６５４４号公報
【発明の概要】
【発明が解決しようとする課題】
【０００５】
バラスト水処理システムに薬液を用いることは、汽水、冷淡水や濁った海水などあらゆる条件下で殺滅効果を変わりなく発揮することができるようにするために有用である。そのため、既存の船舶にも殺菌装置を用いるバラスト水処理システムを搭載したいというニーズが高まっている。しかし、従来のシステムでは、既存の船舶に薬液を用いるバラスト水処理システムを搭載することが困難な場合があるという課題があった。
【０００６】
本発明は、上述した課題を解決し、薬液を用いるバラスト水処理システムを船舶に搭載することを容易にすることができるようにすることを目的とする。
【課題を解決するための手段】
【０００７】
本発明のコンテナユニットは、船舶に設けられるバラスト水処理システムの一部を構成するコンテナユニットであって、バラスト水に用いる殺菌用の薬液を収納する薬液タンクおよび前記薬液用の中和液を収納する中和液タンクが収容された収容体と、前記バラスト水処理システムの薬液注入部と前記薬液タンクとを接続する第１接続部と、前記バラスト水処理システムの中和液注入部と前記中和液タンクとを接続する第２接続部とを備えることを特徴とする。
【０００８】
上記の構成としたことで、薬液を用いるバラスト水処理システムを船舶に搭載することを容易にすることができるようになる。
【０００９】
前記薬液を前記第１接続部を介して前記薬液注入部に移送する薬液移送部と、前記中和液を前記第２接続部を介して前記中和液注入部に移送する中和液移送部とを備える構成とされていてもよい。
【００１０】
前記薬液注入部と前記中和液注入部とは、前記バラスト水処理システムが処理するバラスト水が流れる配管に配され、前記薬液移送部および前記中和液移送部の少なくとも一方は、所定の制御部により生成された制御情報に基づいて、前記薬液または前記中和液を移送する構成とされていてもよい。
【００１１】
前記バラスト水に対する薬液の移送を要求する制御情報を前記制御部から受信する受信部を備え、前記制御部は、前記バラスト水の取水時、前記薬液を当該バラスト水に注入する制御情報を前記受信部に送信し、前記薬液移送部は、前記受信部により受信された制御情報に基づいて、前記薬液を前記薬液注入部に移送する構成とされていてもよい。
【００１２】
前記バラスト水における薬液の残留量に応じた量の中和液の移送を要求する制御情報を前記制御部から受信する受信部を備え、前記制御部は、前記バラスト水の排水時、前記中和液を当該バラスト水に注入する制御情報を前記受信部に送信し、前記中和液移送部は、前記受信部により受信された制御情報に基づいて、前記中和液を前記中和液注入部に移送する構成とされていてもよい。
【００１３】
また、本発明のバラスト水処理システムは、船舶に設けられるバラスト水処理システムであって、バラスト水を貯水するバラストタンクと、前記バラスト水に殺菌用の薬液を注入する薬液注入部と、前記バラスト水に前記薬液用の中和液を注入する中和液注入部と、前記バラスト水を船外に排水する排水部と、前記薬液を収納する薬液タンクと前記中和液を収納する中和液タンクとが収容された収容体を備えるコンテナユニットとを備え、前記コンテナユニットは、前記薬液注入部と前記薬液タンクとを接続する第１接続部と、前記中和液注入部と前記中和液タンクとを接続する第２接続部とを有することを特徴とする。
【００１４】
また、本発明のコンテナユニットは、船舶に設けられるバラスト水処理システムの一部を構成するコンテナユニットであって、バラスト水に用いる殺菌用の薬液を収納する薬液タンクが収容された収容体と、前記バラスト水処理システムの薬液注入部と前記薬液タンクとを接続する接続部とを備えることを特徴とする。
【００１５】
さらに、本発明のコンテナユニットは、船舶に設けられるバラスト水処理システムの一部を構成するコンテナユニットであって、前記船舶で利用される殺菌用の薬液に対応する中和液を収納する中和液タンクが収容された収容体と、前記バラスト水処理システムの中和液注入部と前記中和液タンクとを接続する接続部とを備えることを特徴とする。
【発明の効果】
【００１６】
本発明によれば、薬液を用いるバラスト水処理システムを船舶に搭載することを容易にすることができるようになる。
【図面の簡単な説明】
【００１７】
【図１】コンテナユニットの外観の例について説明するための説明図である。
【図２】コンテナユニットの構成の例を示すブロック図である。
【図３】バラスト水処理システムの構成の例を示すブロック図である。
【図４】バラスト水処理システムの例について説明するための説明図である。
【図５】浄化処理の例を示すフローチャートである。
【図６】バラスト水に関する情報について説明するための説明図である。
【図７】バラスト水処理システムの例について説明するための説明図である。
【図８】排水処理の例を示すフローチャートである。
【発明を実施するための形態】
【００１８】
以下、本発明の実施の形態の例について図面を参照して説明する。なお、各実施の形態に特に関係しない動作や処理については、その説明を省略している場合がある。また、各フローチャートを構成するブロックに対応する各種処理は、処理内容に矛盾等が生じない範囲で順不同である。
【００１９】
図１は、本発明の一実施の形態に係るコンテナユニット１００の外観の例について説明するための説明図である。図１に示すように、コンテナユニット１００は、収容体１１０の側面に接続部１２０が設けられている。なお、本例において、以下で説明するコンテナユニット１００の各種構成要素は、収容体１１０に収容されているものとする。
【００２０】
コンテナユニット１００は、船舶に設けられるバラスト水処理システムの一部を構成するものである。すなわち、本例におけるコンテナユニット１００は、船舶に組み込まれた際にバラスト水処理システムの一部となるユニットという位置づけであるといえる。なお、コンテナユニット１００は輸送用コンテナとしての強度などを備えていることが好適である。また、コンテナユニット１００の形態は特に限定されないが、汎用品と同様の形態であることが好適である。コンテナユニット１００の大きさや形状を一般的に利用されるコンテナと揃えることで、揃えない場合と比べて運搬や設置に関する利便性を向上させることができる。
【００２１】
図２は、コンテナユニット１００の構成の例を示すブロック図である。図２に示すように、コンテナユニット１００は、収容体１１０と、接続部１２０と、移送部１３０と、受信部１４０とを含む。
【００２２】
収容体１１０は、バラスト水に用いる殺菌用の薬液を収納する薬液タンク１１１と、薬液用の中和液を収納する中和液タンク１１２とが収容された収容体である。本例において、収容体１１０は、コンテナユニット１００の外装を構成する（図４参照）。
【００２３】
ここで、薬液タンク１１１に収納される薬液は、船舶に利用されるバラスト水を浄化可能であるものであれば特に限定されない。薬液の例には、水生生物を殺菌・殺滅する過酸化水素系製剤がある。
【００２４】
また、中和液タンク１１２に収納される中和液は、薬液タンク１１１に収納される薬液の性質を中和可能なものであれば特に限定されない。すなわち、ここでの中和液とは、薬液が混ぜられたバラスト水を海に排水しても問題が生じないと考えられる状態にする薬液を意味する。中和液の例には、亜硫酸ナトリウム水溶液がある。
【００２５】
接続部１２０は、薬液注入部および中和液注入部を備えるバラスト水処理システムと収容体１１０とを接続する部分である。本例において、接続部１２０は、第１接続部１２１と、第２接続部１２２とを含む。なお、本例において、接続部１２０は、コンテナユニット１００の外装に配設される（図１を参照）。ただし、接続部１２０の配設箇所は特に限定されず、コンテナユニット１００の内部に配設されていてもよい。
【００２６】
ここで、コンテナユニット１００が搭載される船舶が備えるバラスト水処理システムには、バラスト水に薬液を注入する部分（薬液注入部）と、薬液が注入されたバラスト水に中和液注入する部分（中和液注入部）とが備えられていることが前提となる。各注入部の例には、コンテナユニット１００とバラスト水処理システムとを接続する管や弁がある。
【００２７】
また、第１接続部１２１は、船舶が備える薬液注入部に接続される部分である。また、第２接続部１２２は、船舶が備える中和液注入部に接続される部分である。本例において、第１接続部１２１と第２接続部１２２は、それぞれコンテナユニット１００が備える管を接続可能な構成であればよい。なお、各接続部が、用途や管の形状に応じて複数設けられた構成としてもよい。
【００２８】
移送部１３０は、薬液および中和液の少なくとも一方を収容体１１０からバラスト水処理システムに移送する部分である。本例において、移送部１３０は、薬液移送部１３１と、中和液移送部１３２とを含む。
【００２９】
ここで、薬液移送部１３１は、薬液タンク１１１に収納された薬液を、第１接続部１２１を介して薬液注入部に移送する部分である。また、中和液移送部１３２は、中和液タンク１１２に収納された中和液を、第２接続部１２２を介して中和液注入部に移送する部分である。なお、各移送部の例には、ポンプやポンプの動作を制御する制御機器がある。
【００３０】
受信部１４０は、所定の制御部により生成された制御情報を受信する部分である。本例において、コンテナユニット１００は、受信部１４０により受信された制御情報に従って動作する。制御情報の例には、ユーザにより入力された情報や、バラスト水処理に関連して生成された情報がある。
【００３１】
図３は、コンテナユニット１００が搭載されたバラスト水処理システム１０００の構成の例を示すブロック図である。図３に示すように、バラスト水処理システム１０００（システム１０００）は、コンテナユニット１００と、バラストタンク２００と、薬液注入部３００と、中和液注入部４００と、排水部５００と、制御部６００とを含む。
【００３２】
バラストタンク２００は、バラスト水を貯水する部分である。
【００３３】
薬液注入部３００は、バラストタンク２００に貯水されたバラスト水に殺菌用の薬液を注入する部分である。本例において、薬液注入部３００は、貯水前のバラスト水（例えば、配管内のバラスト水）に薬液を注入可能に構成されている。
【００３４】
中和液注入部４００は、バラストタンク２００に貯水されたバラスト水に中和液を注入する部分である。本例において、中和液注入部４００は、排水前のバラスト水（例えば、配管内のバラスト水）に中和液を注入可能に構成されている。
【００３５】
排水部５００は、バラストタンク２００に貯水されたバラスト水を船外に排水する部分である。排水部５００の例には、排水口や排水口に繋がる管がある。なお、バラスト水に関して、船外に排水するもの及び船外に排水されたものを特に「バラスト排水」と呼ぶ場合がある。
【００３６】
制御部６００は、コンテナユニット１００に対して各種制御情報を送信する部分である。制御情報の例については後述する。制御部６００の例には、タッチパネルを備える操作部を有する制御盤がある。
【００３７】
次に、本例におけるコンテナユニット１００の動作について図面を参照して説明する。
【００３８】
図４は、コンテナユニット１００が搭載されたバラスト水処理システム１０００の例について説明するための説明図である。ここでは、バラスト水を取水する際の処理を例にして説明する。図４に示すように、バラスト水処理システム（システム１０００）は、船舶２０００に備えられ、例えばバラストポンプ７００の機能により配管内に流れる液体（バラスト水、薬液、中和液）の流れを管理すること等によりバラスト水を処理する。なお、図４は、バラスト水の取水に関する構成を示すものであり、バラスト水の排水に関する構成についてはその記載を省略している場合がある。
【００３９】
なお、船舶におけるコンテナユニット１００の設置場所は特に限定されない。以下、コンテナユニット１００が、船舶の甲板上などシステム１０００における薬液注入部３００および中和液注入部４００よりも高い位置に設置される場合を例にして説明する。
【００４０】
システム１０００は、バラスト水の取水時（すなわち、バラスト水を船外から取得してバラストタンクに注水する際）、バラスト水の流量（バラスト水流量）を計測し、計測したバラスト水流量に応じた薬液量を算出し、算出した量の薬液をバラスト水に注入することでバラスト水を浄化する処理（浄化処理）を行う。
【００４１】
図５は、バラスト水処理システム１０００が実行する浄化処理の例を示すフローチャートである。以下、システム１０００がバラスト水の取得要求を受け付けたことに応じて浄化処理を実行する場合を例にして説明する。
【００４２】
浄化処理において、先ず、システム１０００は、取水を開始する（ステップＳ１０１）。本例において、システム１０００は、船外から海水を引き上げ、引き上げた海水をバラスト水としてバラストタンク２００に注水する。
【００４３】
取水を開始すると、システム１０００は、バラスト水流量を計測する（ステップＳ１０２）。本例において、システム１０００は、取水口からバラストタンクまで繋がる配管を流れるバラスト水の流量を検出することでバラスト水流量を計測する。
【００４４】
バラスト水流量を計測すると、システム１０００は、薬液注入量を算出する（ステップＳ１０３）。本例において、システム１０００は、制御部６００に予め登録された算出式を用いて、バラスト水流量に応じた薬液の注入量を算出する。
【００４５】
薬液注入量を算出すると、システム１０００は、バラスト水（あるいは、バラスト水が流れている配管）に薬液を注入する（ステップＳ１０４）。本例において、システム１０００は、先ず、薬液注入量を含む制御情報を制御部６００にて生成し、生成した制御情報をコンテナユニット１００の受信部１４０に送信する。次いで、システム１０００は、受信部１４０が受信した制御情報に基づいて薬液を薬液注入部３００に移送することで、バラスト水に薬液を注入する。すなわち、本例において、コンテナユニット１００の薬液移送部１３１は、受信部１４０により受信された制御情報に基づいて、薬液タンク１１１に収納された薬液をシステム１０００の薬液注入部３００に移送する。
【００４６】
薬液を注入すると、システム１０００は、バラスト水（本例においては、海水と薬液の混合液）をバラストタンク２００に注水し（ステップＳ１０５）、ここでの処理を終了する。
【００４７】
図６は、浄化処理により浄化されたバラスト水に関する情報について説明するための説明図である。図６に示すように、例えば海水に関する調査項目を、50μm以上の水生生物（個／ｍ＾３）、10-50μmの水生生物（個/mL）、病原性コレラ菌（O1,O139)（cfu/100 mL）、大腸菌（cfu/100mL）、および腸球菌（cfu/mL）とした場合、処理水では所定基準（例えば、ＩＭＯ基準）を満たす結果となった。なお、原水は処理開始時（本例では取水開始時）、処理水および対照区は保持２後日の水質を計測した。また、図６における「N.D」とは検出限界未満を意味する。
【００４８】
図７は、コンテナユニット１００が搭載されたバラスト水処理システム１０００の例について説明するための説明図である。ここでは、バラスト水を排水する際の処理を例にして説明する。図７に示すように、システム１０００は、バラスト水の排水時（すなわち、バラストタンクに貯水されたバラスト水を船外に排水する際）、バラスト水の流量（バラスト水流量）と、バラスト水中の薬品の活性物質の濃度（活性物質濃度）とを計測し、計測結果に応じた中和液量を算出し、算出した量の中和液をバラスト水（本例では、薬液注入後のバラスト水）に注入し、処理後のバラスト水中の薬品の活性物質の濃度（残留活性物質濃度）を計測し、バラスト水を船外へ排水することで薬液を中和したバラスト水を排水する処理（排水処理）を行う。なお、図７は、バラスト水の排水に関する構成を示すものであり、バラスト水の取水に関する構成についてはその記載を省略している場合がある。
【００４９】
なお、システム１０００は、計測器８００を用いて活性物質濃度および残留活性物質濃度を計測する。本例において、計測器８００は、活性物質濃度計測器８０１と、残留活性物質濃度計測器８０２とを含むが、公知の技術を用いるのでここでの詳細な説明は省略する。
【００５０】
図８は、バラスト水処理システム１０００が実行する排水処理の例を示すフローチャートである。以下、システム１０００がバラスト水の排水要求を受け付けたことに応じて排水処理を実行する場合を例にして説明する。
【００５１】
排水処理において、先ず、システム１０００は、排水を開始する（ステップＳ２０１）。本例において、システム１０００は、バラストタンク２００からバラスト水を排水する。なお、排水量をユーザ（例えば、船員）が指定可能な構成とされていてもよい。
【００５２】
排水を開始すると、システム１０００は、バラスト水流量と活性物質濃度とを計測する（ステップＳ２０２）。本例において、システム１０００は、配管を流れるバラスト水の流量を検出することでバラスト水流量を計測する。また、システム１０００は、図７に示すように、サンプリング経路を流れるバラスト水を検査することで活性物質濃度を計測する。
【００５３】
活性物質濃度を計測すると、システム１０００は、中和液注入量を算出する（ステップＳ２０３）。本例において、システム１０００は、制御部６００に予め登録された算出式を用いて、計測結果に応じた中和液の注入量を算出する。
【００５４】
中和液注入量を算出すると、システム１０００は、バラスト水（あるいは、バラスト水が流れている配管）に中和液を注入する（ステップＳ２０４）。本例において、システム１０００は、先ず、中和液注入量を含む制御情報を制御部６００にて生成し、生成した制御情報をコンテナユニット１００の受信部１４０に送信する。次いで、システム１０００は、受信部１４０が受信した制御情報に基づいて中和液を中和液注入部４００に移送することで、バラスト水に中和液を注入する。すなわち、本例において、コンテナユニット１００の中和液移送部１３２は、受信部１４０により受信された制御情報に基づいて、中和液タンク１１２に収納された中和液をシステム１０００の中和液注入部４００に移送する。
【００５５】
中和液を注入すると、システム１０００は、中和液注入後の残留活性物質濃度を計測する（ステップＳ２０５）。本例において、システム１０００は、サンプリング経路を流れるバラスト水を計測対象として残留活性物質濃度を計測する。
【００５６】
残留活性物質濃度を計測すると、システム１０００は、計測値が基準値以下であるか否かを判定する（ステップＳ２０６）。本例において、システム１０００は、計測結果を示す値が所定の基準値以下でない場合（ステップＳ２０６のＮ）、中和が可能な範囲か否かを判定する（ステップＳ２０７）。本例において、システム１０００は、所定の判定条件に基づいて、残留活性物質の濃度が中和可能範囲に含まれるか否かを判定する（中和可能判定）。ここで、中和が可能な範囲であると判定した場合（ステップＳ２０７のＹ）、システム１０００は、中和液注入量を再計算し（ステップＳ２０８）、ステップＳ２０４の処理に移行する。本例において、システム１０００は、中和液注入後の残留活性物質濃度を用いる再計算用の算出式を用いて中和液注入量を再計算する。なお、再計算するための構成は特に限定されないが、残留活性物質濃度の計測結果をフィードバックすることで中和液注入量を調節する構成であることが好適である。一方、中和が可能な範囲でないと判定した場合（ステップＳ２０７のＮ）、システム１０００は、排水停止に関する処理を行い（ステップＳ２０９）、ここでの処理を終了する。なお、中和可能判定は排水停止判定の一例であり、例えばシステム１０００が、計測値が基準値を超えた際には即排水を停止する構成としてもよい。また、排水停止後については、所定の再開条件を用いて自動的に排水処理が再開される構成としてもよいし、担当者による入力を要求する構成としてもよい。
【００５７】
一方、システム１０００は、計測結果を示す値が所定の基準値以下である場合（ステップＳ２０６のＹ）、バラスト水が残っているか否かを判定する（ステップＳ２１０）。本例において、システム１０００は、バラストタンク２００の管理データを参照して、バラスト水が残っているか否かを判定する（残量判定）。ここで、バラスト水が残っていると判定した場合（ステップＳ２１０のＹ）、システム１０００は、ステップＳ２０２の処理に移行して再度バラスト水流量と活性物質濃度とを計測する。これにより、中和液注入量を調整できるようになる。一方、バラスト水が残っていないと判定した場合（ステップＳ２１０のＮ）、システム１０００は、排水終了に関する処理を行い（ステップＳ２１１）、ここでの処理を終了する。なお、残量判定は排水終了判定の一例であり、例えばシステム１０００が、他の終了条件に基づいて排水処理を終了する構成としてもよい。終了条件の例には、バラストタンクにおけるバラスト水の量が基準量以下になったことがある。
【００５８】
以上に説明したように、上述した実施の形態では、船舶に設けられるバラスト水処理システム１０００の一部を構成するコンテナユニット１００が、バラスト水に用いる殺菌用の薬液を収納する薬液タンク１１１と、薬液用の中和液を収納する中和液タンク１１２とが収容された収容体１１０と、バラスト水処理システム１０００の薬液注入部３００と薬液タンク１１１とを接続する第１接続部１２１と、バラスト水処理システム１の中和液注入部と中和液タンク１１２とを接続する第２接続部１２２とを備える構成としているので、以下で述べるように、薬液を用いるバラスト水処理システムを船舶に搭載することを容易にすることができるようになる。
【００５９】
すなわち、コンテナユニット１００としてバラスト水の処理に関する主要機器をパッケージングしているので、船舶への搭載が容易となる。また、薬液と中和液とをパッケージングすることで、バラスト水処理システムとしての殺菌能力の変更などにかかる作業負担を軽減させることができ、その結果既存の船舶においても規則（例えば、ＩＭＯルール）に従ったバラスト水処理を行えるようになる。これは、世界的な環境保護気運の高まりに応じてバラスト水の問題（例えば、環境保全、生態環境保護などに関する問題）が注目され、バラスト水処理装置搭載の必要性・規制化が検討されているなかで、有用な効果であるといえる。
【００６０】
また、薬品の貯蔵場所をコンテナに納めることで、コンテナ船などは貨物コンテナの搭載位置にコンテナを設置できるので、貯蔵場所の確保が容易になるというメリットがある。
【００６１】
また、バラスト水の処理に主要な機器をパッケージングすることで、船舶に搭載する際の工数を削減することができるようになる。これにより、船舶に対して大規模な工事を行う必要が無く、停泊中に設置工事を行うことができ、ドック入りせずに搭載可能となる。また、ドック工事の場合でも通常の工期で搭載可能になる。また、システム設置工事で船の不稼働を発生させない。さらに、システムがシンプルなので、バラスト水系統で新たな配管抵抗は発生せず、船舶の配管系統を変更することがない。
【００６２】
なお、上述した実施の形態で特に言及していないが、バラスト水処理システム１０００が、バラスト水自体の漲水・排水を、バラストポンプ７００を使わずに行うシステム（いわゆるグラビティシステム）を備えた構成としてもよい。本船がグラビティでバラスト漲排水する際も、流量計さえ適切な箇所（バラストポンプが停止していても漲水・排水している流量が計測できるバラスト水配管上）に設置されていれば、流量計に応じた適切な薬液量を注入できるので、 グラビティによるバラスト漲排水操作に対応できる。
【００６３】
また、上述した実施の形態では、コンテナユニット１００が、薬液を第１接続部１２１を介して薬液注入部３００に移送し、中和液を第２接続部１２２を介して中和液注入部４００に移送する構成としているので、設置場所の自由度を確保することができるようになる。
【００６４】
また、上述した実施の形態では、バラスト水処理システム１０００において、薬液注入部３００と中和液注入部４００とはバラスト水処理システム１０００が処理するバラスト水が流れる配管（バラスト配管）に配され（例えば、図４、図７参照）、薬液移送部１３１および中和液移送部１３２の少なくとも一方は、所定の制御部６００により生成された制御情報に基づいて、薬液または中和液を移送する構成としているので、薬液または中和液の移送量を制御できるようになる。
【００６５】
また、上述した実施の形態では、コンテナユニット１００が、バラスト水に対する薬液の移送を要求する制御情報を制御部６００から受信する受信部１４０を備え、制御部６００が、バラスト水処理システム１０００におけるバラスト水の取水時、薬液を取水したバラスト水に注入する制御情報を受信部１４０に送信し、薬液移送部１３１が、受信部１４０により受信された制御情報に基づいて、薬液タンク１１１に収納された薬液を薬液注入部３００に移送する構成としているので（例えば、ステップＳ１０４）、薬液の使用量を適量に調整することができるようになる。
【００６６】
また、上述した実施の形態では、コンテナユニット１００が、バラスト水における薬液の残留量（例えば、活性物質濃度から計測される量）に応じた量の中和液の移送を要求する制御情報を制御部６００から受信する受信部１４０を備え、制御部６００が、バラスト水の排水時、中和液をバラスト水に注入する制御情報を受信部１４０に送信し、中和液移送部１３２が、受信部１４０により受信された制御情報に基づいて、中和液タンク１１２に収納された中和液を中和液注入部４００に移送する構成としているので（例えば、ステップＳ２０４）、中和液の使用量を適量に抑えることができるようになる。
【００６７】
また、上述した実施の形態では、制御部６００が、バラスト水の排水時、薬液が注入されたバラスト水に薬液の成分が残留していない場合には中和液をバラスト水に注入しない制御情報を受信部に送信し（例えば、ステップＳ２０４）、薬液移送部が、制御部６００から受信部１４０に送信された制御情報に基づいて、薬液タンク１１１に収納された薬液を薬液注入部３００に移送する（例えば、ステップＳ１０４）構成としているので、薬液と中和液の注入を自動化したシステムにおいて中和液が無駄に使用されることを防止することができるようになる。
【００６８】
また、上述した実施の形態では、船舶に設けられるバラスト水処理システム１０００が、バラスト水を貯水するバラストタンク２００と、バラスト水に殺菌用の薬液を注入する薬液注入部３００と、バラスト水に薬液用の中和液を注入する中和液注入部４００と、バラスト水を船外に排水する排水部５００と、薬液を収納する薬液タンク１１１と中和液を収納する中和液タンク１１２とが収容された収容体１１０を備えるコンテナユニット１００とを備え、コンテナユニット１００が、薬液注入部３００と薬液タンク１１１とを接続する第１接続部１２１と、中和液注入部４００と中和液タンク１１２とを接続する第２接続部１２２とを有する構成としているので、薬液を用いるバラスト水処理システムを船舶に搭載することを容易にすることができるようになる。
【００６９】
また、コンテナユニット１００を設置または取替交換するだけで薬液および中和液を利用可能にすることができるので、従来のシステムと比べてバラスト水処理システムの利便性を向上させることができるようになる。すなわち、既存の船舶または既存のバラスト水処理システムで規則に従ったバラスト水処理を行えるようにすることに関する作業負担を軽減させることができるようになる。ここで、既存のバラスト水処理システムの例には、特許第5135600号(国際公開番号WO2006/011315号)や特許第4699774号（国際公開番号WO2006/088156号）に係る船舶バラスト水の処理方法を適用したシステムや、薬剤を用いる公知のバラスト水処理システムがある。
【００７０】
なお、上述した実施の形態では、コンテナユニット１００が、薬液タンク１１１と中和液タンク１１２とが収容された収容体１１０を備える場合を例にして説明した。しかし、例えば薬液と中和液とを１つの収容体にパッケージングすることによる利便性の向上よりも省スペース化等を優先する場合、コンテナユニット１００が、薬液と中和液のうち何れか一方のみに対応する構成としてもよい。
【００７１】
すなわち、船舶に設けられるバラスト水処理システムの一部を構成するコンテナユニットが、バラスト水に用いる殺菌用の薬液を収納する薬液タンクが収容された収容体と、バラスト水処理システムの薬液注入部と薬液タンクとを接続する接続部とを備える構成としてもよい。これにより、様々な形状・大きさの船舶への搭載を容易とすることができるようになる。また、船舶の種類や運航形態によっては使用薬液が多くなる場合に対応することができるようになる。さらに、１つのコンテナに載せられる薬液の量が薬液と中和液の両方を載せる場合よりも多くなるので、例えば船舶に載せることができるコンテナの大きさが制限されている場合に有用である。
【００７２】
また、船舶に設けられるバラスト水処理システムの一部を構成するコンテナユニットが、船舶で利用される殺菌用の薬液に対応する中和液を収納する中和液タンクが収容された収容体と、バラスト水処理システムの中和液注入部と中和液タンクとを接続する接続部とを備える構成としてもよい。これにより、様々な形状・大きさの船舶への搭載を容易とすることができるようになる。また、船舶の種類や運航形態によっては使用中和液が多くなる場合に対応することができるようになる。さらに、１つのコンテナに載せられる中和液の量が薬液と中和液の両方を載せる場合よりも多くなるので、例えば船舶に載せることができるコンテナの大きさが制限されている場合に有用である。
【００７３】
なお、上述した実施の形態では特に言及していないが、バラスト水処理システム１０００が、圧力差がない又は圧力差が他の位置より比較的小さいラインに配管されたサンプリング経路を備え、当該サンプリング経路を流れるバラスト水を薬液残留量の計測対象とする構成としてもよい。このような構成とすることで、サンプリング経路にバラスト水を流すことによる不具合（例えば、逆流）の発生を防止することができる。なお、サンプリング経路の例には、バラスト水処理システム１０００におけるバラストポンプ７００の前の位置から、計測器（例えば、活性物質濃度計測器８０１）を通過して同位置とバラストポンプ７００との間の位置に繋がる経路がある。また、他のサンプリング経路の例には、バラスト水処理システム１０００における排水口前の位置から、計測器（例えば、残留活性物質濃度計測器８０２）を通過してバラストポンプ７００よりバラストタンク２００側に繋がる位置がある（図７参照）。
【００７４】
なお、上述した実施の形態では特に言及していないが、コンテナユニット１００とバラスト水処理システム１０００の少なくとも一方が背圧弁を備え、当該背圧弁が、バラスト水に薬液または中和液を注入する際に作用する位置に配設された構成としてもよい。このような構成とすることにより、バラスト水に薬液または中和液を注入する際（例えば、中和液移送部１３２の稼働直後）に薬液または中和液の注入量を安定させることができるようになる。なお、背圧弁のほか、バラスト水処理システム１０００が、各種弁（例えば、バラスト水逆流防止のための逆止弁）を備える構成としてもよい。
【００７５】
なお、上述した実施の形態では特に言及していないが、コンテナユニット１００が、制御盤で管理され、自動運転する構成としてもよい。この場合、例えば制御部６００がコンテナユニット１００に設けられていても良い。このような構成とすることで、例えばユーザが薬液または中和液の流量を管理する場合と比べてコンテナユニット１００の利便性を向上させることができるようになる。また、この場合、制御盤にはタッチパネル方式を採用する構成とし、安全で簡単な操作方法を実現することも好適である。
【００７６】
なお、上述した実施の形態では特に言及していないが、バラスト水処理システム１０００による排水タイミングは特に制限されない。すなわち、例えば計測した残留活性物質濃度が所定値よりも大きい場合には排水が中止される構成としてもよい。
【００７７】
なお、上述した実施の形態では特に言及していないが、コンテナユニット１００が、パッケージングされた各部を分割して設置可能な構成とされていてもよい。すなわち、例えば薬液収容タンクと中和液タンクとが分割可能な構成とされていてもよい。これにより、分割不能に構成されている場合と比べて設置場所の自由度を向上させることができるようになる。
【００７８】
なお、上述した各実施の形態では特に言及していないが、バラスト水処理システムやコンテナユニットは、自己が備える記憶装置に記憶されている各種制御プログラムに従って、上述した各種の処理を実行する。
【産業上の利用可能性】
【００７９】
本発明は、バラスト水関連設備の取り付けに関する作業負担を軽減させることができるようにするのに有用である。
【符号の説明】
【００８０】
１００                  コンテナユニット
１１０                  収容体
１２０                  接続部
１３０                  移送部
１４０                  受信部
２００                  バラストタンク
３００                  薬液注入部
４００                  中和液注入部
５００                  排水部
６００                  制御部
７００                  バラストポンプ
８００                  計測器
１０００                バラスト水処理システム
【図１】
2016074341.tif 000003
【図２】
2016074341.tif 000004
【図３】
2016074341.tif 000005
【図４】
2016074341.tif 000006
【図５】
2016074341.tif 000007
【図６】
2016074341.tif 000008
【図７】
2016074341.tif 000009
【図８】
2016074341.tif 000010